(57)【要約】      （修正有）【課題】荷台が平ボディであるクレーン積載型トラックにおいても使用できる幌掛け装置を提供する。【解決手段】トラック荷台２１の前方における左右中央に上下伸縮自在かつ水平回動自在な第一リフト４と、荷台２１の後方における左右中央に上下伸縮自在な第二リフト５と、第一リフト４と第二リフト５の上部にわたって架設されるレール６と、レール６に摺動自在に横架される複数の幌骨７と、該幌骨７に着脱自在に設けられる防水シートとを有することを特徴とする。必要に応じて第一リフト４および第二リフト５は上下伸縮させることにより、クレーン積載型トラック荷台用幌１に干渉することなく、クレーン３を前方に格納することができる。ワイヤ様部材８０を動力式巻き上げドラム８１により巻き上げれば、クレーン積載型トラック荷台用幌１を開くことができる。【選択図】図４
0003168664.tif 000002
【実用新案登録請求の範囲】
【請求項１】
トラック荷台の前方における左右中央に設けられる上下伸縮自在かつ水平回動自在な第一リフトと、
前記荷台の後方における左右中央に設けられる上下伸縮自在な第二リフトと、
前記第一リフトと前記第二リフトの上部にわたって架設されるレールと、
該レールに摺動自在に横架される複数の幌骨と、
該幌骨に着脱自在に設けられる防水シートと、
を有することを特徴とするクレーン積載型トラック荷台用幌。
【考案の詳細な説明】
【技術分野】
【０００１】
本考案は、クレーン搭載型トラックの荷台に取り付け可能な幌装置を提供するものである。
【背景技術】
【０００２】
トラックの幌については、例えば特許文献１のように、幌掛け作業が容易であり荷物の大きさに応じて幌枠の長さを設定することができるものなど、従来から数多くの発明がなされてきた。これらのトラックの幌に関する発明のうち、クレーン搭載型トラックに関するものとしては、特許文献２および特許文献３の技術がある。
【０００３】
特許文献１に記載の発明は、荷物の積み込み及び積み下ろし作業が容易で、種々の大きさの台車に使用できる台車の幌枠を提供することを課題として、下部を台車の荷台に固定する門型主フレームと、この門型主フレームの上部水平部を台車側に連結する連結金具と、前記門型フレームに対向配置した少なくとも１個の門型サブフレームと、この門型サブフレームと前記門型主フレームとを連結する若しくは門型サブフレーム同士を連結するリンクとからなり、門型サブフレームを台車の荷台に沿って水平に移動することで折り畳むことができ、且つ、広げた状態で幌を掛けることができることを特徴とした台車の幌枠構造である。
【０００４】
特許文献２に記載の発明は、気密性にすぐれ、しかも、高い内法高であっても、そのトラック自身に架装したクレーンなどにより、上方、側方及び後方から自由に荷物の積み下ろしを可能とすることを課題として、荷台床上方が開放された荷箱本体部と、前記荷箱本体の左右いずれか一方の側壁上に、前後方向の軸を中心に開閉可能に取り付けられて前記荷箱本体部を密封可能であって、天井上板及びその天井上板に略垂直に一体的に形成され下端がトラックのキャビンの天井と同等又はそれ以下の前板部を有する荷箱天井部とを備えたトラックの荷箱である。
【０００５】
特許文献３に記載の発明は、荷物の確実な保護および優れた荷役性を高い安全性の上に両立させることができるクレーン付自動車を提供することを課題として、荷物を収容する荷箱と、前記荷箱の前方に配設され、ブームの少なくとも一部が前記荷箱内に収容された状態で格納状態となるクレーンと、を備えることを特徴とするクレーン付自動車である。
【先行技術文献】
【特許文献】
【０００６】
【特許文献１】特開平１０−２５０３７９号公報
【特許文献２】特開平７−１１７４８０号公報
【特許文献３】実用新案登録第３１４６０３８号公報
【考案の概要】
【考案が解決しようとする課題】
【０００７】
トラック荷台の幌装置について従来技術は多数存在するものの、クレーン積載型トラックにおいてこれらの技術をそのまま使用すると、幌と走行状態のクレーンが干渉したり、幌がクレーン使用の障害となったりすることとなる。しかし、クレーン積載型トラックにおいても幌を活用したいという需要はあり、それに適合する幌はほとんど開発されていない。特許文献においても、トラックの幌に関する従来技術について、荷台にクレーンが搭載されることを考慮したものは特許文献１をはじめとしてほとんど見られない。
【０００８】
クレーン積載型のトラックに関する特許文献として、特許文献２と特許文献３があるが、これらはいずれもトラック荷台に箱体を設置するものであるため、例えば、トラック荷台が平ボディであるときには対応できないものである。よって、既存のトラックに導入するにはトラック荷台の全面的な改装が必要となるため費用がかさむこととなってしまう。
【０００９】
そこで本考案は、荷台が平ボディであるクレーン積載型トラックにおいても使用できる幌掛け装置を提供することを目的とする。
【課題を解決するための手段】
【００１０】
上記の課題に鑑みて、本考案は、トラック荷台の前方における左右中央に設けられる上下伸縮自在かつ水平回動自在な第一リフトと、前記荷台の後方における左右中央に設けられる上下伸縮自在な第二リフトと、前記第一リフトと前記第二リフトの上部にわたって架設されるレールと、該レールに摺動自在に横架される複数の幌骨と、該幌骨に着脱自在に設けられる防水シートと、を有することを特徴とするクレーン積載型トラック荷台用幌である。
【００１１】
本考案には、前記幌骨の各々に設けられた環状部材と、前記トラックの前方に設けられた動力式巻き上げドラムと、一端を前記動力式巻き上げドラムに接続され、前記環状部材の各々に挿設され、他端を前記幌骨のうち最後端のものに固定されるワイヤ様部材と、を有することを特徴として望ましい。
【００１２】
環状部材は、一つの幌骨の中央に一つを設けることが例として挙げられるが、これに限らず、一つの幌骨に複数個を設け、ワイヤ様部材を複数本通すこととしてもよい。
【００１３】
動力式巻き上げドラムに接続するワイヤ様部材は鎖状のものが好ましいが、これに限らず金属製ワイヤ、その他の素材のロープ等を用いることもできる。
【考案の効果】
【００１４】
本考案によって、クレーン積載型トラックにおいて幌掛け装置を使用することが可能となる。特にトラックの荷台が平ボディであっても、その荷台を使用したまま幌掛け装置を使用することができる。
【図面の簡単な説明】
【００１５】
【図１】本考案実施例によるクレーン積載型トラック荷台用幌１を閉じたトラックの左側面図である。
【図２】同実施例のクレーン積載型トラック荷台用幌１を開く過程を示すトラックの左側面図である。
【図３】同実施例においてクレーン３を前方に格納した状態のクレーン積載型トラック荷台用幌１のトラックの左側面図である。
【図４】同実施例においてクレーン３を前方に格納し、クレーン積載型トラック荷台用幌１を上方に伸長させた状態のトラック車両２の左側面図である。
【図５】同実施例のクレーン積載型トラック荷台用幌１を閉じたトラックの平面図である。
【図６】同実施例のクレーン積載型トラック荷台用幌１を示す斜視図である。
【図７】同実施例におけるレール６と幌骨７と防水シート９との関係を示す正面図である。
【図８】（ａ）は同実施例のレール６の正面から見た部分断面図である。（ｂ）は同実施例の変形例のレール６の正面から見た部分断面図である。（ｃ）は本考案実施例における幌骨７の変更例を示す正面から見た部分断面図である。
【図９】同実施例のクレーン積載型トラック荷台用幌１を水平旋回させた状態のトラックの平面図である。
【図１０】同実施例のクレーン積載型トラック荷台用幌１を後方に寄せてトラック荷台を開放させた状態を示すトラックの平面図である。
【図１１】同実施例のクレーン積載型トラック荷台用幌１を後方に寄せて水平旋回させた状態のトラックの平面図である。
【考案を実施するための形態】
【００１６】
本考案における好適な実施の形態であるクレーン積載型トラック荷台用幌１について、添付図面を参照して説明する。なお、図１、図３〜図５、図９〜図１１においては、防水シート９の図示は省略している。
【００１７】
図１に示すように、クレーン積載型トラック荷台用幌１は、トラック車両２の荷台２１に設けられるものである。荷台２１は後方および左右側面にアオリ２２を有するいわゆる平ボディのものである。荷台２１の前端にはクレーン３が設置されている。
【００１８】
図１〜図４に示すように、クレーン積載型トラック荷台用幌１は、荷台２１の前方における左右中央に設けられる第一リフト４と、荷台２１の後方における左右中央に設けられる第二リフト５と、第一リフト４および第二リフト５に架設されるレール６と、レール６に摺動可能に保持される複数の幌骨７とを備える。以下、各部について説明する。
【００１９】
第一リフト４は、荷台２１の前方における左右中央において上下伸縮可能かつ水平回動可能に設けられる支柱である。第一リフト４は小型のターンテーブルを用いて水平旋回可能となっている。
【００２０】
第二リフト５は、荷台２１の後方における左右中央において上下伸縮可能に設けられる支柱である。
【００２１】
第一リフト４および第二リフト５は、トラック車両２の内燃機関による電力を用いてワイヤ様部材を電動駆動させてシリンダーを上下させる。第一リフト４は水平旋回もすること、トラック車両２において他にも油圧動力を用いることなどから電動駆動が好ましいが、これに限らず、トラック車両２に備わる油圧源を用いて油圧駆動式のアクチュエータとしてもよい。または、これらを併用したり、伝達ワイヤ様部材を用いて第一リフト４および第二リフト５のいずれか一方に動力を伝達したりする構成としてもよい。その他、これらの動力を用いてパンタグラフ構造による伸縮で第一リフト４および第二リフト５を上下動させてもよい。
【００２２】
レール６は、図６ないし図８に示すように、縦溝６１および横溝６２を有し、第一リフト４と第二リフト５の各々の上先端部にわたって架設される長尺部材である。レール６は左上ガイド６３と右上ガイド６４と下ガイド６５と前接合部６６と後接合部６７とからなり、左上ガイド６３と右上ガイド６４との間に前後に細長く上部が開口した縦溝６１が形成され、左上ガイド６３および右上ガイド６４と下ガイド６５との間に前後に細長く左右横方向に貫通した横溝６２が形成される。前接合部６６および後接合部６７は、それぞれ前後で、左上ガイド６３と右上ガイド６４と下ガイド６５とを結合する部分である（図６参照）。縦溝６１では、前後にスライドするレール６の環状部材７２を逃がし、また案内できるようになっている。横溝６２では、左上ガイド６３および右上ガイド６４と下ガイド６ｂとにより上下方向から幌骨７を摺動自在に挟持する。レール６のこれらの構成は、図８（ａ）に示すように、角パイプを縦方向に溝をつけるように切断加工して作成することができる。
【００２３】
レール６の変形例を図８（ｂ）に示す。これは、左上ガイド６３と右上ガイド６４と下ガイド６５とをそれぞれ別個の角パイプにより構成し、これらを結合して前接合部６６および後接合部６７となして構成したものである。上述の図８（ａ）に示したものは簡易な構造のため安価に作成することができる一方、図８（ｂ）に示したものは左上ガイド６３、右上ガイド６４および下ガイド６５が独立して角パイプにより形成されるため強度に優れる。
【００２４】
幌骨７は、図１〜図６に示す通り、レール６に摺動可能に複数個が保持される、荷台２１の全幅に亘る長さの略棒状の部材である。幌骨７は、棒状部材７１と環状部材７２とを有し、環状部材７２は棒状部材７１の中央において上方に突出して設けられる。環状部材７２は、それぞれにワイヤ様部材８０が挿通されて使用される。また、幌骨７には防水シート９が貼設される。貼設には接着剤を用いてもよいが、面ファスナー等を用いて着脱自在として好適である。また防水シートはそれぞれの幌骨７に覆いかぶせず、図７に示すように、下から吊るすようにして設けるとワイヤ様部材８０の巻き取りが円滑となり好ましい。幌骨７の形状は単なる棒状に限られず、任意の形状をとり得る。例えば、防水シートに雨水が貯まるのを防ぐために、幌骨７を山形にするなどしてもよい。なお、図２、図６および図７を除いて、防水シート９の図示は省略している。
【００２５】
幌骨７の変形例として、幌骨７には、図８（ｃ）に示すように、環状部材７２を挟んでローラー７３を設けてもよい。ローラー７３は、レール６における幌骨７の前後のスライド移動を補助するためのものであり、幌骨７の棒状部材７１を回転軸として、棒状部材７１に対して空転するよう設けられる。レール６のスライド移動が円滑化されるとともに、レール６の左上ガイド６３、右上ガイド６４、下ガイド６ｂのうち、横溝６２を構成する面の面粗度を摺動可能な程に仕上げる必要がなくなる。
【００２６】
本実施例では、幌骨７としてφ２０ｍｍのパイプ部材を用いているが、その他φ１７ｍｍやφ１８ｍｍ等、φ１５〜２５ｍｍ程度の直径のものを用いて好ましい。また、同程度の強度を備え、レール６において摺動可能な限りにおいてその他の形状の部材も適宜用いることができる。幌骨７の材質はステンレス、アルミ等が挙げられるが、強度および重量等を考慮してこれに限られず用いることができる。一つのクレーン積載型トラック荷台用幌１に用いられる幌骨７の数は荷台２１の前後長さにより適宜調整される。
【００２７】
荷台２１の前方には、クレーン３と第一リフト４との間に鳥居８２が備わっていて、この鳥居８２の上部に動力式巻き上げドラム８１および幌骨載置部材８３が設けられている。動力式巻き上げドラム８１にはワイヤ様部材８０の一端が固定される。ワイヤ様部材８０は、レール６に設置された複数の幌骨７に挿通され、その他端は最後端の幌骨７ａの環状部材７２の付け根部分に固定される。また、最後端の幌骨７ａには引き綱８４の一端が固定される。
【００２８】
ワイヤ様部材８０は、動力式巻き上げドラム８１による巻き上げおよび引き綱８４による引出しを円滑にするため、鎖状のものが好ましい。または、これに限らず金属製ワイヤ、その他の素材のロープ等を用いることもできる。動力式巻き上げドラム８１は電動モーターにより発生した回転動力を歯車等により伝達する一般的な構造のものである。
【００２９】
クレーン積載型トラック荷台用幌１の動作について説明する。
【００３０】
図１、図２に示す通り、クレーン３を後方に格納した状態でクレーン積載型トラック荷台用幌１を閉めることができる。このとき、上下伸縮可能な第一リフト４および第二リフト５は収縮させてあり、クレーン積載型トラック荷台用幌１は下方に位置しているため、図３に示すように、クレーン積載型トラック荷台用幌１に干渉することなく、クレーン３を前方に格納することができる。この状態でワイヤ様部材８０を動力式巻き上げドラム８１により巻き上げれば、図２に示すようにクレーン積載型トラック荷台用幌１を開くことができる。
【００３１】
ワイヤ様部材８０が巻き取られることにより、その一端が固定された最後端の幌骨７ａが前方に引き寄せられ、これに伴い後方の幌骨７から順次前方に引き寄せられることにより、クレーン積載型トラック荷台用幌１は開放される（図２参照）。前方に寄せた幌骨７は幌骨載置部材８３に載置すると安定する（図６参照）。
【００３２】
クレーン積載型トラック荷台用幌１を閉塞させるときは、動力式巻き上げドラム８１を緩めつつ、同時に使用者がトラック荷台後方にて引き綱８４を後方に牽引する。防水シート９の着設により連結された各々の幌骨７は、最後端の幌骨７ａの後方移動に伴って順次後方に摺動し、荷台２１を閉塞させる。
【００３３】
荷台２１への積載物によっては、図４に示すように、第一リフト４および第二リフト５を伸長させて荷台上の空間を確保する。このとき、動力式巻き上げドラム８１を緩め、クレーン３をあらかじめ前方に格納しておくものとする。
【００３４】
荷台２１に荷物を上げ下ろすときには、図９のようにクレーン積載型トラック荷台用幌１を、第一リフト４を回転軸として水平旋回させて、荷台２１上を広く開放させることができる。また、引き綱８４を前方の幌骨７に設ければ、幌骨７は前方のみならず後方に寄せることもできるので（図１０参照）、幌骨７を後方に寄せた状態で第一リフト４を回動させれば荷台２１上を完全に開放させることもできる（図１１参照）。
【００３５】
以下に、本実施例によるクレーン積載型トラック荷台用幌１の効果を述べる。
【００３６】
クレーン積載型トラック荷台用幌１により、クレーン搭載型トラックにおいてもクレーンに干渉することなく開閉可能な幌装置を取り付けることができる。クレーン積載型トラック荷台用幌１は後付け可能な簡便な構造であるため、既存の平ボディのトラックにも設置することが可能である。
【００３７】
クレーン積載型トラック荷台用幌１を閉塞させるには動力式巻き上げドラム８１を用いて行い、クレーン積載型トラック荷台用幌１を開放させるには引き綱８４により手動で行うことにより、簡易な構造をとることができ、軽量化が図られ、製造コストも抑えられる。
【００３８】
第一リフト４および第二リフト５を収縮させた状態においては、クレーン積載型トラック荷台用幌１に干渉することなく、クレーン３を前方に格納することができるため（図１、図３参照）、クレーン３の前後の格納状態に関わらず、トラック車両２を走行させることができる。
【００３９】
第一リフト４および第二リフト５を伸長させた状態をとることができ、高さのある大きな荷物を荷台２１に積載してもクレーン積載型トラック荷台用幌１を活用することができる。
【００４０】
第一リフト４を回転軸としてクレーン積載型トラック荷台用幌１を水平旋回させて荷台２１上を広く開放させることができるため、荷物を荷台２１に積載する際にもクレーン３を用いることができ、クレーン３とクレーン積載型トラック荷台用幌１とを一体的に活用することができる（図１１参照）。
【００４１】
本発明は、上述の実施の形態に限定されるものではなく、本発明の技術的思想を逸脱しない範囲において、様々な改変等を加えることが出来るものであり、それらの改変、均等物等も本発明の技術的範囲に含まれることとなる。
【産業上の利用可能性】
【００４２】
以上のように、本考案は幌装置を必要とする貨物輸送業において有用である。
【符号の説明】
【００４３】
１・・・クレーン積載型トラック荷台用幌１  ２・・・トラック車両  ３・・・クレーン
４・・・第一リフト  ５・・・第二リフト  ６・・・レール
７・・・幌骨  ７１・・・環状部材  ８０・・・ワイヤ様部材
８１・・・動力式巻き上げドラム  ８４・・・引き綱  ９・・・防水シート
【図１】
0003168664.tif 000003
【図２】
0003168664.tif 000004
【図３】
0003168664.tif 000005
【図４】
0003168664.tif 000006
【図５】
0003168664.tif 000007
【図６】
0003168664.tif 000008
【図７】
0003168664.tif 000009
【図８】
0003168664.tif 000010
【図９】
0003168664.tif 000011
【図１０】
0003168664.tif 000012
【図１１】
0003168664.tif 000013